(57)【特許請求の範囲】
【請求項１】
給湯機本体と、
台所リモコンと、
ふろリモコンと、を備え、
前記台所リモコンは、第１音声出力手段、前記第１音声出力手段の信号を音に変える第１スピーカー、前記第１音声出力手段の電源を入り切りする第１電源スイッチング手段、を有し、
前記ふろリモコンは、人の在／不在を検知する人検知手段、第２音声出力手段、前記第２音声出力手段の信号を音に変える第２スピーカー、前記第２音声出力手段の電源を入り切りする第２電源スイッチング手段、を有し、
前記人検知手段は、前記ふろリモコンのみに設けられ、
前記台所リモコンは、音声案内要求がされている場合は、前記第１電源スイッチング手段により、前記第１音声出力手段の電源を入りにして音声案内を行い、音声案内要求がされていない場合は、前記第１スイッチング手段により、前記第１音声出力手段の電源を切にして音声案内を行わない構成とし、
前記ふろリモコンは、音声案内要求がされている場合であって前記人検知手段が人を検知している場合は、前記第２電源スイッチング手段により、前記第２音声出力手段の電源を入にして音声案内を行い、前記人検知手段が人を検知していない場合は、音声案内要求の有無に関わらず、前記第２電源スイッチング手段により、前記第２音声出力手段の電源を切にして音声案内を行わない構成としたことを特徴とする給湯機。
【発明の詳細な説明】
【技術分野】
【０００１】
本発明は、給湯機に関連し、特に、音声案内に関するものである。
【背景技術】
【０００２】
従来、この種の給湯機では、だれもが使いやすいように、操作や給湯機の状態を音声案内するものがあった（例えば、特許文献１、特許文献２、特許文献３参照）。
【先行技術文献】
【特許文献】
【０００３】
【特許文献１】特開２００６−２９２１９２号公報
【特許文献２】特開２００５−２３３４４２号公報
【特許文献３】特開２００９−１１５４０６号公報
【発明の概要】
【発明が解決しようとする課題】
【０００４】
一般的に、リモコンで設定された音量で、音声案内が行われ、台所とふろの両方にリモコンを備えた給湯機であれば、それぞれのリモコンで設定された音声案内音量で音声案内が行われるため、リモコンの操作に対する音声案内であれば、操作したリモコンの前に人がいるので、問題はない。
【０００５】
しかしながら、給湯機の状態を音声案内する場面で、リモコンの近くに人がいない場合は、リモコンで設定された音量で音声案内するのがエネルギーの無駄となっている。
【０００６】
例えば、台所リモコンで、給湯温度を６０℃に設定すると、安全のため、ふろリモコンでも高温注意報知として「ピッピッピッ熱いお湯がでます。ご注意ください。」と報知する。
【０００７】
この場合、浴室に人がいて、湯を使う状況であれば必要であるが、誰もいない浴室でこのような音声案内を行うのは意味がない。このような意味のない音声案内をするために、ふろリモコンの音声出力手段の電源を入れて、電力を消費していた。
【０００８】
本発明は、前記従来の課題を解決するもので、使用性を維持しつつ、音声案内が必要な時だけ、音声出力手段の電源を入れることで、無駄な電力を消費しない省エネルギーを実現した給湯機を提供することを目的とする。
【課題を解決するための手段】
【０００９】
前記従来の課題を解決するために、本発明の給湯機は、給湯機本体と、台所リモコンと、ふろリモコンと、を備え、前記台所リモコンは、第１音声出力手段、前記第１音声出力手段の信号を音に変える第１スピーカー、前記第１音声出力手段の電源を入り切りする第
１電源スイッチング手段、を有し、前記ふろリモコンは、人の在／不在を検知する人検知手段、第２音声出力手段、前記第２音声出力手段の信号を音に変える第２スピーカー、前記第２音声出力手段の電源を入り切りする第２電源スイッチング手段、を有し、前記人検知手段は、前記ふろリモコンのみに設けられ、前記台所リモコンは、音声案内要求がされている場合は、前記第１電源スイッチング手段により、前記第１音声出力手段の電源を入りにして音声案内を行い、音声案内要求がされていない場合は、前記第１スイッチング手段により、前記第１音声出力手段の電源を切にして音声案内を行わない構成とし、前記ふろリモコンは、音声案内要求がされている場合であって前記人検知手段が人を検知している場合は、前記第２電源スイッチング手段により、前記第２音声出力手段の電源を入にして音声案内を行い、前記人検知手段が人を検知していない場合は、音声案内要求の有無に関わらず、前記第２電源スイッチング手段により、前記第２音声出力手段の電源を切にして音声案内を行わない構成としたことを特徴とするものである。
【００１０】
これによって、ふろリモコンの近くに人がいるかどうかを前記人検知手段で検出し、人を検知しない場合、音声案内は不要であると判断し、音声出力手段の電源を切にし、音声案内を行わず、無駄な電力を消費しない給湯機を提供できる。
【発明の効果】
【００１１】
本発明によれば、ふろリモコンの近くに人を検知しない場合は、音声出力手段の電源を切にし、音声案内を行わず、無駄な電力を消費しないので、使用性を維持しつつ、省エネルギーを実現した給湯機を提供できる。
【図面の簡単な説明】
【００１２】
【図１】本発明の実施の形態１における給湯機のブロック図
【図２】同給湯機のふろリモコンの音声案内のフローチャート
【図３】同給湯機の台所リモコンの音声案内のフローチャート
【発明を実施するための形態】
【００１３】
第１の発明は、給湯機本体と、台所リモコンと、ふろリモコンと、を備え、前記台所リモコンは、第１音声出力手段、前記第１音声出力手段の信号を音に変える第１スピーカー、前記第１音声出力手段の電源を入り切りする第１電源スイッチング手段、を有し、前記ふろリモコンは、人の在／不在を検知する人検知手段、第２音声出力手段、前記第２音声出力手段の信号を音に変える第２スピーカー、前記第２音声出力手段の電源を入り切りする第２電源スイッチング手段、を有し、前記人検知手段は、前記ふろリモコンのみに設けられ、前記台所リモコンは、音声案内要求がされている場合は、前記第１電源スイッチング手段により、前記第１音声出力手段の電源を入りにして音声案内を行い、音声案内要求がされていない場合は、前記第１スイッチング手段により、前記第１音声出力手段の電源を切にして音声案内を行わない構成とし、前記ふろリモコンは、音声案内要求がされている場合であって前記人検知手段が人を検知している場合は、前記第２電源スイッチング手段により、前記第２音声出力手段の電源を入にして音声案内を行い、前記人検知手段が人を検知していない場合は、音声案内要求の有無に関わらず、前記第２電源スイッチング手段により、前記第２音声出力手段の電源を切にして音声案内を行わない構成としたことを特徴とする給湯機である。
【００１４】
これにより、前記人検出手段でふろリモコンの近くに人を検知しない場合は、音声出力手段の電源を切にし、音声案内を行わず、無駄な電力を消費しないので、使い勝手や安全性を犠牲にせず、省エネルギーを向上させることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における給湯機のブロック図である。
【００１７】
図１において、給湯機本体１と台所リモコン２とふろリモコン３は、リモコンケーブルで接続されている。ふろリモコン３には、給湯機本体から送られた電源を受け取る電源手段９があり、電源に重畳された通信信号を分離して、通信手段４に伝える。通信手段４は、給湯機本体１と台所リモコン２と通信を行い、マイコン５と接続されている。また、表示手段６では、マイコン５からの信号により、使用者に対して表示を行う。
【００１８】
電源スイッチング手段７で音声出力手段１０への電源供給を入り切りする。人検知手段８は、ふろリモコン３近傍の人の在／不在を検知し、マイコン５に伝える。音声出力手段１０はスピーカー１１を駆動する。
【００１９】
また、台所リモコン２にも、ふろリモコン３と同様の回路ブロックが存在するが、同様のブロックは、同じ符号を与え、説明も省略する。台所リモコン２では、人検知手段８が存在しない。
【００２０】
以上のように構成された給湯機について、図２を用いて、以下その動作、作用を説明する。
【００２１】
図２は、本発明の実施の形態１における給湯機のふろリモコンの音声案内のフローチャートである。
【００２２】
まず、ふろリモコン３で音声案内を行う場合、ステップ１で音声案内の要求があるかどうかマイコン５が判断する。音声案内要求がない場合、ステップ２で、マイコン５は電源スイッチング手段７により音声出力手段１０の電源を切る。
【００２３】
ステップ１で音声案内要求がある場合、ステップ３に進み、人検知手段８で人の在／不在を検知する。その結果、人を検知している場合は、ステップ４に進む。ステップ４で、マイコン５は電源スイッチング手段７により音声出力手段１０の電源を入れる。
【００２４】
その後、ステップ５で音声出力手段１０は音声案内を開始し、スピーカー１１から音声案内が出力される。ステップ３で、人を検知していない場合は、ステップ６に進み、マイコン５は電源スイッチング手段７により音声出力手段１０の電源を切り、音声案内は行わない。
【００２５】
以上のように、本実施の形態の形態においては、ふろリモコン３に、人の在／不在を検知する人検知手段８と、音声出力手段１０と、音声出力手段１０の信号を音に変えるスピーカー１１と、音声出力手段１０の電源を入り切りする電源スイッチング手段７とを有し、人検知手段８が人を検知している場合は、電源スイッチング手段７により音声出力手段１０の電源を入にして音声案内を行い、人検知手段８が人を検知していない場合は、電源スイッチング手段７により音声出力手段１０の電源を切にして音声案内を行わないようにしたので、無駄な電力を消費しない。よって、使い勝手や安全性を犠牲にせず、省エネルギーを向上させることができる。
【００２６】
図３は、本発明の実施の形態１における給湯機の台所リモコンの音声案内のフローチャートである。
【００２７】
台所リモコン２には、人検知手段８を設けていない。まず、台所リモコン２で音声案内を行う場合、ステップ７で音声案内の要求があるかどうかマイコン５が判断する。音声案内要求がない場合、ステップ８でマイコン５は電源スイッチング手段７により音声出力手段１０の電源を切る。
【００２８】
ステップ７で音声案内要求がある場合、ステップ９に進み、マイコン５は電源スイッチング手段７により音声出力手段１０の電源を入れる。
【００２９】
その後、ステップ１０で音声出力手段１０は音声案内を開始する。音声案内要求がある時だけ、電源スイッチング手段７で音声出力手段１０の電源を入れているので、それなりの省エネルギー効果はある。しかし、人が台所リモコン２の近傍にいなくても、音声案内を行う。
【００３０】
台所リモコン２に人検知手段８を設けなかったのは、台所リモコンが設置されることが多いリビングダイニングキッチンの形状が多種多様で、台所リモコン２に人検知手段８を設けても、確実に近傍の人を検知できるわけではないからである。
【００３１】
もし、キッチンに設置した台所リモコン２に人検知手段８を設けても、キッチンとダイニングを仕切るカウンターにより、人検知ができない場合がある。
【００３２】
このような状況で、ふろリモコン３で給湯温度を６０℃に設定した場合、本来ならば、高温注意報知として「ピッピッピッ熱いお湯がでます。ご注意ください。」と報知するはずが、報知されない事態となり、安全性に課題を残す。
【００３３】
よって、確実に部屋全体の人検知ができる手段であれば台所リモコン２に、人検知手段
８を設け、不在時に電源スイッチング手段７により音声出力手段１０の電源を切ればよい。
【００３４】
なお、人検知手段８は、人の赤外線を検知する赤外検出器が一般的であることは言うまでもない。
【００３５】
なお、人検知手段８に、赤外線検出器と照度センサーを組み合わせ、赤外線検出器が人の赤外線を検出しないで、なおかつ、照度センサーも、人が活動する明るさよりも暗いことを検出した場合においてのみ、人不在と判定するようにすれば、確実に、夜で人がリモコン近傍にいないと判定することができる。
【産業上の利用可能性】
【００３６】
以上のように、本発明にかかる給湯機は、無駄な電力を消費しないので、使い勝手や安全性を犠牲にせず、省エネルギーを向上させることができるので、人が不在の時にも音声案内を必要とする機器に応用することができる。
【符号の説明】
【００３７】
１  給湯機本体
２  台所リモコン
３  ふろリモコン
７  電源スイッチング手段
８  人検知手段
１０  音声出力手段
１１  スピーカー
【図１】
0005655545.tif 000002
【図２】
0005655545.tif 000003
【図３】
0005655545.tif 000004